【手続補正書】
【提出日】平成22年10月7日(2010.10.7)
【手続補正１】
【補正対象書類名】特許請求の範囲
【補正対象項目名】全文
【補正方法】変更
【補正の内容】
【特許請求の範囲】
【請求項１】
植え込み型刺激器具であって、
各々が前記植え込み型医療器具内で少なくとも１つの機能を実行する複数の機能ブロックを備えた集積回路を有し、少なくとも１つの他の機能ブロックは、前記植え込み型刺激器具のための刺激回路を有し、少なくとも１つの組織刺激電極が、前記刺激回路に結合されており、
前記機能ブロックの各々と通信状態にあるバスを有し、前記機能ブロックは、バスプロトコルを経て互いに通信する、器具。
【請求項２】
前記機能ブロックのうちの１つは、マスターコントローラから成り、他の全ての機能ブロックは、前記マスターコントローラのスレーブである、請求項１記載の器具。
【請求項３】
前記機能ブロックのうちの１つは、アナログ‐ディジタル変換器から成り、前記アナログ‐ディジタル変換器は、前記バスの外部に位置する前記機能ブロックのうちの少なくとも幾つかから複数のアナログ信号を受け取る、請求項１記載の器具。
【請求項４】
前記集積回路は、外部端子を有し、前記バスは、前記バスが前記集積回路の外部に位置する少なくとも１つの装置と通信することができるよう少なくとも１つの外部端子と通信する、請求項１記載の器具。
【請求項５】
前記装置は、メモリ回路から成る、請求項４記載の器具。
【請求項６】
前記装置は、コントローラから成る、請求項４記載の器具。
【請求項７】
前記機能ブロックのうちの少なくとも幾つかは、他の機能ブロックに割り込みをかけ、前記割り込みは、前記バス上を移動することはない、請求項１記載の器具。
【請求項８】
植え込み型刺激器具であって、
各々が前記植え込み型医療器具内で少なくとも１つの機能を実行する複数の機能ブロックを有し、少なくとも１つの他の機能ブロックは、前記植え込み型刺激器具のための刺激回路を有し、少なくとも１つの組織刺激電極が、前記刺激回路に結合されており、
前記機能ブロックの各々と通信状態にあるパラレルバスを有し、前記機能ブロックは、バスプロトコルを経て互いに通信する、器具。
【請求項９】
前記機能ブロックのうちの１つは、マスターコントローラから成り、他の全ての機能ブロックは、前記マスターコントローラのスレーブである、請求項８記載の器具。
【請求項１０】
前記機能ブロックのうちの１つは、アナログ‐ディジタル変換器から成り、前記アナログ‐ディジタル変換器は、前記バスの外部に位置する前記機能ブロックのうちの少なくとも幾つかから複数のアナログ信号を受け取る、請求項８記載の器具。
【請求項１１】
前記複数の機能ブロック及び前記バスは、単一の集積回路上に集積され、前記集積回路は、外部端子を有し、前記バスは、前記バスが前記集積回路の外部に位置する少なくとも１つの装置と通信することができるよう少なくとも１つの外部端子と通信する、請求項８記載の器具。
【請求項１２】
前記装置は、メモリ回路から成る、請求項１１記載の器具。
【請求項１３】
前記装置は、コントローラから成る、請求項１１記載の器具。
【請求項１４】
前記機能ブロックのうちの少なくとも幾つかは、他の機能ブロックに割り込みをかけ、前記割り込みは、前記バス上を移動することはない、請求項８記載の器具。
【請求項１５】
植え込み型刺激器具であって、
各々が前記植え込み型医療器具内で少なくとも１つの機能を実行する複数の機能ブロックを有し、少なくとも１つの他の機能ブロックは、前記植え込み型刺激器具のための刺激回路を有し、少なくとも１つの組織刺激電極が、前記刺激回路に結合されており、
前記機能ブロックの各々と通信状態にあるパラレルバスを有し、
各機能ブロックと前記バスとの間に介在して設けられたバスインタフェース回路を有し、前記バスインタフェース回路により、各ブロックは、プロトコルに従って前記バスを経て他の機能ブロックと通信することができる、器具。
【請求項１６】
前記機能ブロックのうちの１つは、マスターコントローラから成り、他の全ての機能ブロックは、前記マスターコントローラのスレーブである、請求項１５記載の器具。
【請求項１７】
前記機能ブロックのうちの１つは、アナログ‐ディジタル変換器から成り、前記アナログ‐ディジタル変換器は、前記バスの外部に位置する前記機能ブロックのうちの少なくとも幾つかから複数のアナログ信号を受け取る、請求項１５記載の器具。
【請求項１８】
前記複数の機能ブロック、前記バス、及び前記バスインタフェース回路は、単一の集積回路上に集積されている、請求項１５記載の器具。
【請求項１９】
前記集積回路は、外部端子を有し、前記バスは、前記バスが前記集積回路の外部に位置する少なくとも１つの装置と通信することができるよう少なくとも１つの外部端子と通信する、請求項１８記載の器具。
【請求項２０】
前記装置は、メモリ回路から成る、請求項１９記載の器具。
【請求項２１】
前記装置は、コントローラから成る、請求項１９記載の器具。
【請求項２２】
前記機能ブロックのうちの少なくとも幾つかは、他の機能ブロックに割り込みをかけ、前記割り込みは、前記バス上を移動することはない、請求項１５記載の器具。
【請求項２３】
植え込み型刺激器具であって、
各々が前記植え込み型医療器具内で少なくとも１つの機能を実行する複数の機能ブロックを備えた集積回路を有し、少なくとも１つの他の機能ブロックは、前記植え込み型刺激器具のための刺激回路を有し、少なくとも１つの組織刺激電極が、前記刺激回路に結合されており、
前記集積回路の外部に位置する少なくとも１つの装置を有し、
前記機能ブロックの各々及び前記外部装置と通信状態にあるバスを有し、前記外部装置及び前記機能ブロックは、プロトコルに従って前記バスと通信する、器具。
【請求項２４】
前記機能ブロックのうちの１つは、マスターコントローラから成り、他の全ての機能ブロックは、前記マスターコントローラのスレーブである、請求項２３記載の器具。
【請求項２５】
前記機能ブロックのうちの１つは、アナログ‐ディジタル変換器から成り、前記アナログ‐ディジタル変換器は、前記バスの外部で複数のアナログ信号を受け取る、請求項２３記載の器具。
【請求項２６】
前記集積回路は、外部端子を有し、前記バス中の各信号は、前記バスが前記集積回路の外部に位置する少なくとも１つの装置と通信することができるよう外部端子と通信する、請求項２３記載の器具。
【請求項２７】
植え込み型医療器具であって、
各々が前記植え込み型医療器具内で少なくとも１つの機能を実行する複数の機能ブロックを有し、少なくとも２つのブロックは、他の機能ブロックのための第１のコントローラを有し、
前記機能ブロックのうちの少なくとも幾つかを制御することができる第２のコントローラを有し、
前記機能ブロックの各々及び前記第２のコントローラと通信状態にあるバスを有し、
前記第１のコントローラと前記第２のコントローラは、他の機能ブロックの制御を分担する、器具。
【請求項２８】
前記植え込み型医療器具は、植え込み型刺激器である、請求項２７記載の器具。
【請求項２９】
前記他の機能ブロックのうちの少なくとも１つは、電気刺激を患者の組織に送り出す少なくとも１つの電極に結合された刺激回路から成る、請求項２８記載の器具。
【請求項３０】
前記第１のコントローラを含む前記機能ブロックは、集積回路中に集積され、前記第２のコントローラは、前記集積回路の外部に位置する、請求項２７記載の器具。
【請求項３１】
植え込み型医療器具であって、
各々が前記植え込み型医療器具内で少なくとも１つの機能を実行する複数の機能ブロックを備えた集積回路を有し、少なくとも１つのブロックは、前記集積回路内の他の機能ブロックのための内部コントローラから成り、
前記集積回路の外部に位置する外部コントローラ装置を有し、
前記機能ブロックの各々及び前記外部コントローラと通信状態にあるバスを有し、
前記バス上の少なくとも１つの第１の指令は、前記内部コントローラにより実行可能であり、前記バス上の少なくとも１つの第２の指令は、前記外部コントローラによって実行可能である、器具。
【請求項３２】
前記植え込み型医療器具は、植え込み型刺激器である、請求項３１記載の器具。
【請求項３３】
前記他の機能ブロックのうちの少なくとも１つは、電気刺激を患者の組織に送り出す少なくとも１つの電極に結合された刺激回路から成る、請求項３２記載の器具。
【請求項３４】
前記内部コントローラは、出された指令が前記内部コントローラにより実行可能な第１の指令を含むか前記外部コントローラによって実行可能な第２の指令を含むかを判定する回路を有する、請求項３１記載の器具。
【請求項３５】
前記回路は、前記出された指令を第１の指令か第２の指令かのいずれかとして指定するビットのレジスタを有する、請求項３４記載の器具。
【請求項３６】
前記回路は、コントローラ選択ビットを、前記外部コントローラ中のアービトレーション回路に送出する、請求項３５記載の器具。
【請求項３７】
植え込み型刺激器具を作動させる方法であって、
機能ブロックをバスに結合するステップを有し、前記機能ブロックのうちの１つは、第１のコントローラから成り、少なくとも１つの他の機能ブロックは、前記植え込み型刺激器具のための刺激回路から成り、少なくとも１つの組織刺激電極が、電気刺激回路に結合され、
第２のコントローラを前記バスに結合するステップを有し、
指令を前記バス上に送出するステップを有し、
前記指令が前記第１のコントローラによって実行されるべきであるか前記第２のコントローラによって実行されるべきであるかを判定し、前記指令をそれに応じて実行するステップを有する、方法。
【請求項３８】
前記機能ブロックは、集積回路上に集積され、前記第２のコントローラは、前記集積回路の外部に位置する、請求項３７記載の方法。
【請求項３９】
前記判定ステップは、前記指令を復号し、前記第１のコントローラ中の関連のオーナビットに問い合わせることにより前記第１のコントローラによって実施される、請求項３７記載の方法。
【請求項４０】
前記指令が前記第２のコントローラによって実行される場合、信号を前記第２のコントローラに送るステップを更に有し、前記第２のコントローラは、前記第１のコントローラから前記指令を取り出して前記取り出した指令を実行する、請求項３９記載の方法。
【請求項４１】
前記第２のコントローラによる前記取り出した指令の実行後、制御を前記第１のコントローラに戻すステップを更に有する、請求項４０記載の方法。
【請求項４２】
刺激を患者の組織に供給するように構成された複数の第１の電極及び複数の第２の電極を備えている植え込み型刺激器具であって、
前記複数の第１の電極の刺激を制御するための第１の刺激回路ブロックを備えている第１の集積回路と、
前記複数の第１の電極の刺激を制御するための第２の刺激回路ブロックを備えている第２の集積回路と、
前記第１及び第２の集積回路と通信状態にあるバスと、を備え、前記バスでの通信は、バスプロトコルに従って発生する、植え込み型刺激器具。
【請求項４３】
前記第1の及び第２の刺激回路ブロックは、刺激を前記複数の第１及び第２の電極にそれぞれ供給する第１及び第２のデジタル‐アナログ変換器回路をそれぞれ備えている、請求項４２記載の器具。
【請求項４４】
前記第１及び第２の電極に結合された電極アレイを更に備えている、請求項４２記載の器具。
【請求項４５】
前記電極アレイは、複数の電極リードを備えている、請求項４４記載の器具。
【請求項４６】
前記バスと通信状態にあるコントローラを更に備え、前記コントローラは、前記バスを介して前記第１及び第２の集積回路を制御する、請求項４２記載の器具。
【請求項４７】
前記コントローラは、前記第1及び第2の集積回路とは別の集積回路を備えている、請求項４６記載の器具。
【請求項４８】
前記コントローラは、前記第１又は第２の集積回路の一つに存在する、請求項４６記載の器具。
【請求項４９】
前記第１及び第２の集積回路は、同様に構成されている、請求項４２記載の器具。
【請求項５０】
前記プロトコルは、データ前アドレスプロトコルを備えている、請求項４２記載の器具。
【請求項５１】
前記バスは、データ及びアドレスの両方を並列で搬送するための複数の信号を備え、前記データ及びアドレスは、前記複数の信号において時間多重化される、請求項５０記載の器具。
【請求項５２】
前記バスは、書き込みイネーブル信号線及び読み取りイネーブル信号線を備える、請求項５１記載の器具。
【請求項５３】
前記バスは、読み取り又は書き込みアドレスをラッチするためのアドレスラッチイネーブル信号を備える、請求項５２記載の器具。
【請求項５４】
前記第１及び第２の集積回路の各々は、それぞれが前記バスに結合された複数の機能ブロックを更に備える、請求項４２記載の器具。
【請求項５５】
前記第１及び第２の集積回路の前記第１及び第２の刺激回路ブロック及び前記複数の機能ブロックは、各々バスインターフェイ回路を用いて前記バスに結合する、請求項４２記載の器具。
【請求項５６】
前記第１の集積回路は、前記第２の集積回路をスレーブとして制御するためのマスターを備えている、請求項４２記載の器具。
【請求項５７】
刺激を患者の組織に供給するように構成された複数の第１の電極及び複数の第２の電極を備えている植え込み型刺激器具であって、
前記複数の第１の電極の刺激を制御するための第１の刺激回路ブロックを備えている第１の集積回路と、
前記複数の第１の電極の刺激を制御するための第２の刺激回路ブロックを備えている第２の集積回路と、を備え、前記第１及び第２の集積回路は、同様に構成され、及び
前記第１及び第２の集積回路を制御するためのコントローラと、を備えている、植え込み型刺激器具。
【請求項５８】
前記第１の及び第２の刺激回路ブロックは、刺激を前記複数の第１及び第２の電極にそれぞれ供給する第１及び第２のデジタル‐アナログ変換器回路をそれぞれ備えている、請求項５７記載の器具。
【請求項５９】
前記第１及び第２の電極に結合された電極アレイを更に備えている、請求項５７記載の器具。
【請求項６０】
前記電極アレイは、複数の電極リードを備えている、請求項５９記載の器具。
【請求項６１】
前記コントローラは、前記第１及び第２の集積回路とは別の集積回路を備えている、請求項５７記載の器具。
【請求項６２】
前記コントローラは、前記第１又は第２の集積回路の一つに存在する、請求項５７記載の器具。
【請求項６３】
前記第１及び第２の集積回路、及び前記コントローラは、通信バスに各々結合され、前記バスでの通信は、バスプロトコルに従って発生する、請求項５７記載の器具。
【請求項６４】
前記プロトコルは、データ前アドレスプロトコルを備えている、請求項６３記載の器具。
【請求項６５】
前記第１及び第２の集積回路の各々は、それぞれが前記バスに結合された複数の機能ブロックを更に備える、請求項５７記載の器具。
【請求項６６】
前記第１及び第２の集積回路の前記第１及び第２の刺激回路ブロック及び前記複数の機能ブロックは、各々バスインターフェイ回路を用いて通信バスに結合する、請求項６５記載の器具。